(57)【要約】【課題】製造コストの上昇を招くことなく操作キャップの熱対策を行う。【解決手段】操作キャップ３を回動させることによって燃料用ガスに点火するようにされたライター１において、ライター本体が内部の燃料用ガスを外部に噴出させるノズル６ｂ、該ノズルの周囲を覆うと共に火口８ｄを有する風防８及び燃料用ガスに点火する点火手段７を備え、操作キャップが押圧部３ａと該押圧部から操作キャップの回動方向に突出し風防の内側に位置する閉塞部３ｂを有し、操作キャップの閉塞部が操作キャップの回動に伴って風防の内側に沿って移動して点火時においては火口を開放すると共に消火時においては風防の内側から火口を閉塞するようにした。【選択図】          図７
2004316951.tif 000002
【特許請求の範囲】
【請求項１】
内部に燃料用ガスが充填されたライター本体と、該ライター本体の一端部に沿って回動可能に支持された操作キャップを備え、上記操作キャップを回動させることによって燃料用ガスに点火するようにされたライターであって、
上記ライター本体は、内部の燃料用ガスを外部に噴出させるノズル、該ノズルの周囲を覆うと共に火口を有する風防及び燃料用ガスに点火する点火手段を備え、
上記操作キャップは押圧部と該押圧部から操作キャップの回動方向に突出し風防の内側に位置する閉塞部を有し、
上記操作キャップの閉塞部は、操作キャップの回動に伴って風防の内側で移動して点火時においては火口を開放すると共に消火時においては風防の内側から火口を閉塞するようにした
ことを特徴とするライター。
【請求項２】
上記操作キャップの閉塞部は、風防の上部内面の形状に沿って円弧状に湾曲した舌片状に形成されている
ことを特徴とする請求項１に記載のライター。
【発明の詳細な説明】
【０００１】
【発明が属する技術分野】
本発明はライター本体の上部に設けられた操作キャップを操作することによって燃料用ガスに点火するようにされた所謂スライド操作式ライターに関する。詳しくは、操作キャップの構造を工夫することによって安全性の向上と製造コストの低減を図る技術分野に関する。
【０００２】
【従来の技術】
従来から、主にタバコに火を付けるために用いられる簡易な構造で安価なガスライター（以下、単に「ライター」という。）として、例えば、内部に液化した燃料用ガスが封入されたプラスチック製のライター本体の上部にノズルや風防などを設け、ノズルから噴出する燃料用ガスに点火するようにされたものが知られている。このようなライターにおいては、燃料用ガスへの点火には発火石を用いたヤスリ方式と圧電ユニットを用いた圧電点火方式が広く用いられている。
【０００３】
なお、ライターの燃焼方式には、点火時に炎が形成される位置によって、内部燃焼方式と外部燃焼方式とがある。内部燃焼方式は、燃料用ガスを噴出させるノズルの周囲を覆う風防がオープンタイプ、すなわち、ノズルの上方が開放された風防を採用したものであり、風防の内側でノズルの先端から燃料用ガスの燃焼による炎が直接延びるという特徴を有する。また、外部燃焼方式は、ノズルの周囲が覆われた密閉タイプで火口を有する風防を採用したものであり、風防の火口から燃料用ガスの燃焼による炎が延びるという特徴を有する。したがって、内部燃焼方式にあっては風防の内部で燃料用ガスが燃焼するため、ノズルの周囲の温度が高くなってしまうので、ノズルの周囲を構成する部分の材質に耐熱性の高いものを使用する必要がある。また、外部燃焼方式にあっては、風防の外部で燃料用ガスが燃焼するので、上記内部燃焼方式と比べてノズルの周囲の温度が高くならないが、風の影響によって炎が消えやすい。そして、現状では、殆どのライターには外部燃焼方式が採用されている。
【０００４】
図１０は外部燃焼方式を採用した従来のライターの一例ａを概略的に示すものである。ライターａは、ライター本体ｂの上部に設けられた操作キャップｃを操作することによって燃料用ガスに点火するようにされた所謂スライド操作式ライターである。上記操作キャップｃは、ライター本体ｂに回動自在に支持されている。
【０００５】
上記ライター本体ｂは、内部に燃料用ガスが充填されたタンク部ｄと、該タンク部ｄ内の燃料用ガスを必要な時に噴出させる図示しないノズルと、該ノズルの周囲を覆う金属製の風防ｅを有する。上記ライター本体ｂのノズルは弁機構によって燃料用ガスの通路が開閉される。また、上記ライター本体ｂには図示しない圧電ユニットが設けられ、上記操作キャップｃを押圧してライター本体ｂに対して回動させた時に、操作キャップｃの一部によって圧電ユニットが押圧されて放電すると共に弁機構によって燃料用ガスの通路が開かれて、ノズルから噴出する燃料用ガスに点火され、風防の火口から上方に向かって延びる炎が発生する。
【０００６】
ノズルの燃料用ガスの通路を弁機構によって開閉する構造を有するライターでは、万一、上記弁機構に問題があった場合には燃料用ガスが噴出し続けて使用後も消火できないことになる。
【０００７】
しかし、上記ライターａのように、操作キャップｃを有するライターでは、使用しないときには風防上面の火口が操作キャップｃによって閉塞された状態となるので、使用後、万一燃料用ガスがノズルから噴出し続けても、火口を閉塞することによって確実に消火することができ、また、風防の火口から内部にゴミなども入り込みにくいという利点がある。
【０００８】
また、ライターは製品安全基準で、点火後あらゆる角度に傾けても熱によって周囲が破損したり、燃焼したりしないことが求められている。
【０００９】
しかし、上記ライターａのように操作キャップｃを有するものにあっては、使用時（点火時）にライターａを傾けたときには、図１１に示すように、操作キャップｃの前端部分ｆに燃料用ガスの燃焼に伴う炎ｇが触れてしまうことがある。その為、例えば、操作キャップｃが全てプラスチックであると、熱によって溶けて変形してしまうことがある。
【００１０】
そこで、操作キャップの熱対策として、従来では操作キャップ全体又は炎が当たる部分のみを金属材料によるダイキャストやプレス加工等によって形成すること（例えば、特許文献１参照。）や、操作キャップの炎が当たる部分に金属メッキを施したりすることが行われていた。
【００１１】
【特許文献１】
特開２００１−２７２０３５号公報（第４−５頁、第９頁、第２図、第１２図）
【００１２】
【発明が解決しようとする課題】
しかしながら、上記のように熱対策のため操作キャップの全体又は前端部分のみを金属材料によるダイキャストやプレス加工等によって形成することや、操作キャップの前端部分に金属メッキを施したりすることは、材料のコストが高くなったり部品点数が増えたりして、ライターの製造コストの上昇を招くことになるという問題があった。
【００１３】
本発明は、上記した問題点に鑑み、操作キャップを操作することによってノズルから噴出する燃料用ガスに点火するようにされたライターにおいて、製造コストの上昇を招くことなく操作キャップの熱対策を行うことを課題とする。
【００１４】
【課題を解決するための手段】
本発明ライターは、上記した課題を解決するために、ライター本体が、内部の燃料用ガスを外部に噴出させるノズル、該ノズルの周囲を覆うと共に火口を有する風防及び燃料用ガスに点火する点火手段を備え、操作キャップが押圧部と該押圧部から操作キャップの回動方向に突出し風防の内側に位置する閉塞部を有し、操作キャップの閉塞部が操作キャップの回動に伴って風防の内側で移動して点火時においては火口を開放すると共に消火時においては風防の内側から火口を閉塞するようにしたものである。
【００１５】
したがって、風防によって操作キャップへの熱の伝達が抑制される。
【００１６】
【発明の実施の形態】
以下に、本発明ライターの実施の形態について、添付図面を参照して説明する。
【００１７】
ライター１は、燃焼方式に外部燃焼方式を採用し、一部を除いた殆どの部分がプラスチック材料によって形成された安価で簡易な構造のライターであり、図１に示すように、ライター本体２と、該ライター本体２の上端に沿って所定の角度の範囲で回動自在に支持された操作キャップ３とを有する。
【００１８】
ライター１の各部を構成するプラスチック材料としては、例えば、ＡＢＳ（アクリロニトリル−ブタジエン−スチレン）、ナイロン（直鎖脂肪族ポリアミド）、ＡＳ（アクリロニトリル−スチレン）、ＰＣ（ポリカーボネート）、ＰＯＭ（ポリオキシメチレン）等が考えられる。上記プラスチック材料を耐熱性が高い順に並べると、ナイロン−ＰＣ−ＰＯＭ−ＡＢＳ・ＡＳの順になる。また、コスト面では、ナイロン、ＰＣ及びＰＯＭは比較的高価であり、ＡＢＳ及びＡＳが安価である。したがって、ライター１の各部には、耐熱性やコストなどを考慮して上記プラスチック材料から最適なものを選べばよい。ライター１の各部のうち、特に操作キャップには耐熱性が高い材質を用いることが望ましい。
【００１９】
なお、以下の説明において、上下、前後及び左右の方向について述べるときは、図１における上下の方向をそのまま上方及び下方、左方向を前方、その反対方向（図１における右方向）を後方、図２における左右の方向をそのまま左方及び右方というものとする。
【００２０】
ライター１は、図１乃至図３に示すように、前面及び後面が湾曲し上方から見て長円形状を為すと共に、上下に長く左右に偏平で、上方の一方の角部が湾曲した形状を為している。
【００２１】
上記ライター本体２には、上端が開放され下端が閉じられた略縦長の容器状をしており、図７及び図８に示すように、内部が隔壁２ａによって略上下に位置する２つの空間４、５に分割されている。そして、下側の空間４は液化した燃料用ガス（以下、単に「液化ガス」という。）が充填されるタンク部とされている。上側の空間５は前側に位置するノズルユニット配置凹部５ａと後側に位置する点火手段配置凹部５ｂとに分けられており、これらノズルユニット配置凹部５ａ及び点火手段配置凹部５ｂは上方に向かって開口して、ライター本体２の上端に連結している。上記ノズルユニット配置凹部５ａにはタンク部４内の液化ガスを必要な時に気化した状態で噴出させるノズルユニット６が配置され、点火手段配置凹部５ｂには点火手段７が配置される。さらに、ライター本体２上端部の前側にはノズルユニット６の後述するノズルの周囲を覆うように金属製の風防８が取着されている。
【００２２】
上記ライター本体２は、図１に示すように、上端部の前端寄り約４分の１位の位置から前側の部分が切り欠かれた切欠部が形成され、該切欠部が上記風防８によって囲まれて着火空間９とされる。ライター本体２の上記着火空間９から後方の部分の上縁１０は側方から見て後方に行くに従って僅かに下方に変位して行く円弧状に形成され、該上縁１０の後端部１０ａは後方から見て略Ｖ字状を成すように形成されている。
【００２３】
ノズルユニット６は、詳細な構造については説明を省略するが、金属材料から成り異なる形状を有する複数の筒状体と弾性を有する材料から成るパッキンなどによって構成されるものであり、図７及び図８に示すように、弁機構６ａと、該弁機構の６ａから上方に延びたノズル６ｂと、弁機構６ａから下方に延びた燃料パイプ６ｃなどを有する。そして、ノズルユニット６はノズル６ｂを除く殆どの部分がノズルユニット配置凹部５ａ内に位置し、ノズル６ｂのみが上記着火空間９内に突出している。また、上記燃料パイプ６ｃは隔壁２ａを貫通してタンク部４内に達し、下端がタンク部４の略最下部に位置している。上記弁機構６ａの一部とノズル６ｂは共に上下に移動可能にされ、通常はバネによって強制的に下方に付勢されている。
【００２４】
ノズルユニット６においては、内蔵されたバネの付勢力によって通常は弁機構６ａ及びノズル６ｂが下方に位置し、弁機構６ａによってタンク部４と連通した液化ガスの通路が閉塞された状態となっている。そして、弁機構６ａがノズル６ｂと共に上方に移動することによって液化ガスの通路が開き、タンク部４内の液化ガスがノズル６ｂの先端の孔から気化された状態で噴出するようになっている。なお、ノズルユニット６には、気化して噴出する液化ガスの量を調節して燃焼時の炎の大きさを変えるための炎調節レバー６ｄが設けられている。
【００２５】
また、ライター本体２の上端部において、ノズル６ｂの後方に上記着火空間９と点火手段７が配置された空間とを仕切るための仕切板５ｃが配置されている。
【００２６】
点火手段７は、図７及び図８に示すように、衝撃を加えることによって放電電圧（高電圧パルス）を発生させる圧電素子を内蔵した本体７ａと、圧電素子に衝撃を加えるハンマーを内蔵した伸縮部７ｂと、上記本体７ａから上方に延びる高圧リード７ｃを有している。上記伸縮部７ｂは、上下に移動して本体部７ａに対して伸縮自在となるように支持され、通常は内蔵するバネによって付勢され、上方に突出した状態となっている。
【００２７】
そして、本体７ａから上方に延びる高圧リード７ｃは、略中間の位置で前方に屈曲し、先端が上記仕切板５ｃを貫通して、ノズルユニット６のノズル６ｂの先端の近傍に位置するようにされている。したがって、後述するように、操作キャップ３を押圧してライター本体２の上端に沿って回動させた時には、点火手段７は操作キャップ３の一部によって伸縮部７ｂが下方に押圧されることによって高圧リード７ｃの先端から放電し、この放電によってノズルユニット６から噴出する液化ガスに点火されることになる。
【００２８】
操作キャップ３は、図４乃至図６に示すように、指などによって操作される押圧部３ａと、該押圧部３ａの前端から円弧状に湾曲しながら前方に延び、風防８の上部の内面の形状に沿って円弧状に湾曲した舌片状を成す閉塞部３ｂと、該閉塞部３ｂの後方寄りの左右両端から下方に突出した脚部３ｃ、３ｃとを有する。
【００２９】
操作キャップ３の押圧部３ａと閉塞部３ｂとの境界部には前方を向いた段部３ｄが設けられている。また、上記押圧部３ａは、下方に向かって開口し、下縁１１は、図１及び図６に示すように、上記したライター本体２の上縁１０と係合し合う形状とされている。すなわち、押圧部３ａの下縁１１は、図４に示すように、側方から見て後方に行くに従って下方に変位する円弧状を成すように緩やかに湾曲し、また、図６に示すように、ライター本体２の上縁の後方から見てライター本体２の上縁１０のＶ字状をした後端部１０ａと略対応するように略Ｖ字状に下方に突出した形状とされている。上記閉塞部３ｂもまた、側方から見て、後述する風防８の上部の内面に沿うように湾曲している。
【００３０】
操作キャップ３の脚部３ｃ、３ｃの下端には、図５及び図６に示すように、左右方向において互いに反対方向に突出し、側方から見て円形をした支持突起１２、１２が設けられている。また、上記脚部３ｃ、３ｃの中間部の対向して位置する側の面には、図４に示すように、後方に向かって突出し側方から見て略左横倒Ｊ字状をした板状の押圧レバー１３、１３が一体に設けられている。上記押圧レバー１３、１３の先端部１３ａと１３ａとは軸方向が左右方向に沿う円柱状をした押圧部１４によって連結されている。
【００３１】
風防８は、図１乃至図３に示すように、薄手の金属板によって形成されたものであり、ライター本体２の上端部の前側の角部に取着される。風防８は、図１乃至図３に示すように、上方から見て長円形状を為すライター本体２の形状に合わせて、左右に偏平で、且つ、上方から見て長円の一方の端部を成す如き形状の側面部８ａと該側面部８ａの上側を覆う上面部８ｂとが一体に形成されて成り、上面部８ｂは側方から見て前方に行くに従って下方に変位する円弧状に湾曲した形状を成している。また、風防８は、の側面部８ａは着火空間９より後方の位置まで延びている。
【００３２】
そして、ライター本体２に風防８が取着された状態では、ライター本体２の上端部のうち風防８から後方の部分のみが開口した状態となり、この開口した部分は操作キャップ３の押圧部３ａによって覆われることになる。また、風防８の前面部には空気窓８ｃ、８ｃ、８ｃが形成され、上面部８ｂのノズルユニット６の真上に位置する部分には火口８ｄが形成されている。タンク部４内の液化ガスは、気化した状態でノズルユニット６のノズル６ｂから噴出し、風防８の火口８ｄ付近で燃焼される。
【００３３】
上記操作キャップ３は、脚部３ｃ、３ｃがライター本体２の上端寄りの位置に支持されることによって、ライター本体２に対して回動可能に支持される。すなわち、ライター本体２の上端部の内部において、図７に示すように、脚部３ｃ、３ｃの先端の支持突起１２、１２が、ノズルユニット６と点火手段７との間の左右の位置に設けられた図示しない回動支点部によって支持されて、操作キャップ３がライター本体２の上縁１０に沿って回動可能に支持される。この時、操作キャップ３の押圧部３ａの下縁１１とライター本体２の上縁１０とが対向し、また、閉塞部３ｂは風防８の内部に入り込んで、ノズルユニット６の上方で風防８の内面に沿うように位置し火口８ｄを閉塞する。
【００３４】
また、操作キャップ３の押圧部１４は常に、図７に示すように、点火手段７の伸縮部７ｂの上面と当接した状態になっており、この当接によって操作キャップ３は、図１、図３及び図７に示す操作キャップ３が回動していない状態、すなわち、回動範囲の前端の位置に保持される。この時、操作キャップ３の段部３ｄと風防８の後縁の一部とが当接して、操作キャップ３と風防８とが、段差が無く連続した外側面を構成するようになっている。
【００３５】
上記着火空間９の下部にはノズル開閉レバー１５の作用部１５ａが位置されている。上記ノズル開閉レバー１５は、図７及び図８に示すように、ノズル６ｂと連結される作用部１５ａと、後方に延び略左横倒Ｌ字状を為す被押圧片１５ｂと、これら作用部１５ａと被押圧片１５ｂとの間に設けられた回動支点部１５ｃとから成る。ノズル開閉レバー１５は、着火空間９の後端部で回動支点部１５ｃがライター本体２に回動可能な状態で支持される。上記ノズル開閉レバー１５の被押圧片１５ｂの後端部の上方へ突出した被押圧部１５ｄは、操作キャップ３の押圧レバー１３、１３の直下に位置している。また、上記作用部１５ａは略環状をしており、ノズル６ｂの先端部６ｅの直ぐ下側に位置する細径の部分６ｆに外嵌されており、上方への移動によりノズル６ｂの先端部６ｅの下端６ｇと係合するようになっている。
【００３６】
以上に記載したような構造を有するライター１において、発火は以下のようにして為される。すなわち、例えば、ライター本体２を右手で保持し、親指で操作キャプ３の押圧部３ａを後ろ斜め下方にスライドさせるように押圧すると、操作キャップ３が全体的に脚部３ｃ、３ｃの支持突起１２、１２を回動支点として図７の矢印Ａ方向に回動する。この操作キャップ３の回動に伴って、押圧部３ａと一体の閉塞部３ｂも風防８の内面に沿って回動し、徐々に風防８内から外部に露出し、閉塞部３ｂによって覆われていた風防８の火口８ｄが開放される（図８参照）。同時に、押圧レバー１３、１３の先端の押圧部１４によって点火手段７の伸縮部７ｂが下方に押圧されて本体７ａ内に入り込んで行く。また、操作キャップ３の回動によって、図８に示すように、ノズル開閉レバー１５の被押圧片１５ｂの被押圧部１５ｄが押圧レバー１３、１３の下面によって下方に押圧され、この被押圧片１５ｂへの押圧によって回動支点部１５ｃを回動支点として作用部１５ａが上方に移動し、この移動によってノズル６ｂの先端部６ｅの下面が上方向へ押圧されるので、ノズルユニット６の弁機構６ａの一部及びノズル６ｂが共に上方に持ち上げられてガスの通路が開き、タンク部４内の液化ガスがノズル６ｂの先端部６ｅから気化した状態（ガス）で噴出する。
【００３７】
そして、操作キャップ３の押圧部３ａをさらに押圧し続けると、操作キャップ３の回動範囲の終端の直前で押圧レバー１３、１３の先端の押圧部１４によって押圧されて点火手段７の伸縮部７ｂがさらに本体７ａ内に入り込んで行き、図８に示す操作キャップ３の回動範囲の終端位置の直前の位置で、高圧リード７ｃの先端から放電される。この点火手段７の高圧リード７ｃの先端からの放電によってノズルユニット６のノズル６ｂの先端部６ｅから噴出する液化ガスに点火され、図８に示すように、風防８の火口８ｄ付近で燃焼して、炎１６が上方へ延びる。なお、この操作キャップ３が上記回動範囲の終端位置に達した状態でも、閉塞部３ｂは全体が風防８内から抜け出してしまうわけではなく、前端部分は風防８内に留まったままの状態、すなわち、風防８の後方部分によって覆われた状態になっている。
【００３８】
そして、操作キャップ３の押圧部３ａへの押圧を解除すると、操作キャップ３の図７の矢印Ａ方向への回動によってそれぞれ下方に押圧されていた点火手段７の伸縮部７ｂが内蔵されているバネによる付勢力によって上方に突出して元に戻り、操作キャップ３を図８の矢印Ｂ方向に回動させ、操作キャップ３が図７に示す回動前の状態に戻る。すなわち、上記点火手段７の伸縮部７ｂが元に戻る力は、押圧部１４及び押圧レバー１３、１３を介して操作キャプ３の脚部３ｃ、３ｃに伝わり、操作キャップ３が上記矢印Ｂ方向に回動されることになる。同時に、操作キャップ３の押圧レバー１３、１３を介してノズル開閉レバー１５に作用していた力が解除されるので、ノズルユニット６の弁機構６ａの一部及びノズル６ｂが内蔵されているバネの付勢力によって下方に移動してタンク部４内と連通していた液化ガスの通路が閉じられ、ノズル６ｂの先端部６ｅからの液化ガスの噴出が停止する。
【００３９】
このように、操作キャップ３の回動によって風防８の火口８ｄが閉塞部３ｂによって内側から閉塞され、同時に、ノズル６ｂの先端部６ｅからの気化した状態の液化ガスの噴出が止まるので、火口８ｄから上方に延びていた炎１６が瞬時に消火されることになる。
【００４０】
ライター１は、操作キャップ３の回動によって、図７に示す非燃焼状態（消火時）においては風防８の火口８ｄが閉塞部３ｂによって閉塞され、図８に示す燃焼時には風防８の火口８ｄが開放される構造を有するものである。したがって、たとい、ノズルユニット６の弁機構６ａに不具合が生じてノズルユニット６のノズル６ｂからの液化ガスの噴出が止まらない場合でも、操作キャップ３の閉塞部３ｂによって風防８の火口８ｄが閉塞されることによって消火を確実に為すことができる。
【００４１】
また、図８に示す燃焼時においても、操作キャップ３の閉塞部３ｂの先端部分が風防８の後方部分によって覆われたままとなる構造を有するので、図９に示すように、例えば、点火中にライター１を傾けても、炎１６による熱の影響を操作キャップ３が受けることがなく、操作キャップ３の全体を耐火性の低い安価なプラスチック材料によって形成することができる。
【００４２】
なお、前記実施の形態において示した各部の具体的な形状及び構造は、何れも本発明を実施するに際して行う具体化のほんの一例を示したものに過ぎず、これらによって本発明の技術的範囲が限定的に解釈されることがあってはならないものである。
【００４３】
【発明の効果】
以上に記載したところから明らかなように、本発明ライターは、内部に燃料用ガスが充填されたライター本体と、該ライター本体の一端部に沿って回動可能に支持された操作キャップを備え、操作キャップを回動させることによって燃料用ガスに点火するようにされたライターであって、ライター本体が内部の燃料用ガスを外部に噴出させるノズル、該ノズルの周囲を覆うと共に火口を有する風防及び燃料用ガスに点火する点火手段を備え、操作キャップが押圧部と該押圧部から操作キャップの回動方向に突出し風防の内側に位置する閉塞部を有し、操作キャップの閉塞部が操作キャップの回動に伴って風防の内側で移動して点火時においては火口を開放すると共に消火時においては風防の内側から火口を閉塞するようにしたことを特徴とする。
【００４４】
したがって、本発明ライターにあっては、操作キャップの閉塞部が風防の内側に位置しているのでライターを傾けても操作キャップが炎による熱的影響を受けることがなく、操作キャプ全体を耐火性の低い安価なプラスチック材料で形成することが可能になって、ライターの製造コストを低減することができる。
【００４５】
また、操作キャップの閉塞部によって風防の火口が閉塞されるので、消火を確実に行うことができ、仮に、ノズルの弁機構が故障して燃料用ガスの噴出が止まらなくなった場合でも確実に消火することができる。
【００４６】
請求項２に記載した発明にあっては、操作キャップの閉塞部を風防の上部内面の形状に沿って円弧状に湾曲した舌片状に形成したので、操作キャップへの炎による熱的影響をより確実に防ぐことができる。
【図面の簡単な説明】
【図１】図２乃至図９と共に本発明ライターの実施の形態を示すものであり、本図は側面図である。
【図２】正面図である。
【図３】平面図である。
【図４】図５及び図６と共に操作キャップを拡大して示すものであり、本図は側面図である。
【図５】正面図である。
【図６】背面図である。
【図７】図２のＶＩＩ−ＶＩＩ線に沿う断面図である。
【図８】図７の状態から操作キャップを回動させて燃料用ガスに点火した時の状態を示す断面図である。
【図９】燃焼時においてライターを傾けた時の状態を概略的に示す側面図である。
【図１０】図１１と共に従来のライターの一例を示すものであり、本図は操作キャップを回動させて点火する時の様子を概略的に示す側面図である。
【図１１】従来のライターにおける問題点を概略的に示す側面図である。
【符号の説明】
１…ライター、２…ライター本体、３…操作キャップ、３ａ…押圧部、３ｂ…閉塞部、６ｂ…ノズル、７…点火手段、８…風防、８ｄ…火口
【図１】
2004316951.tif 000003
【図２】
2004316951.tif 000004
【図３】
2004316951.tif 000005
【図４】
2004316951.tif 000006
【図５】
2004316951.tif 000007
【図６】
2004316951.tif 000008
【図７】
2004316951.tif 000009
【図８】
2004316951.tif 000010
【図９】
2004316951.tif 000011
【図１０】
2004316951.tif 000012
【図１１】
2004316951.tif 000013